(57)【要約】【課題】一定の関係を有する複数の利用者のそれぞれの携帯端末のみにより、短距離通信を用いて、共同して使用することができる画像形成装置を提供する。【解決手段】画像形成装置１０００は、原稿上の画像から画像データを生成する画像読取部１１６と、短距離無線により通信を行う短距離無線通信部１１９、通信エリアの複数台の携帯端末から、識別情報を取得する取得部１４３と、複数の識別情報を表示する表示部１１２と、操作者の操作により、識別情報のうち、少なくとも一部である複数の識別情報の選択を受け付け、複数の識別情報により示される複数の携帯端末から構成される選択グループを特定する操作入力部１１４、選択グループの構成員である複数の携帯端末のみに対して、前記無線通信手段により画像データを送信する送受信部１４４を備える。【選択図】図２
2019202440.tif 000002
【特許請求の範囲】
【請求項１】
無線通信手段を有し、通信エリア内に存在する携帯端末と通信を行うことのできる画像形成装置であって、
原稿上の画像を読み取って、画像データを生成する画像読取手段と、
前記無線通信手段により、通信エリア内に存在する複数台の携帯端末から、それぞれの携帯端末を示す識別情報を取得する取得手段と、
取得した複数の識別情報を表示する表示手段と、
前記表示手段により表示された前記複数の識別情報のうち、少なくとも一部の識別情報を選択可能な入力手段と、
前記入力手段により選択された携帯端末のみに対して、前記無線通信手段により、前記画像データを送信するデータ通信手段と
を備えることを特徴とする画像形成装置。
【請求項２】
前記複数の携帯端末は、それぞれ、アドレス帳を記憶しており、各アドレス帳は、電子メールの宛先を示す１又は複数の電子メールアドレスを含み、
前記データ通信手段は、さらに、前記無線通信手段により、前記携帯端末から、それぞれが記憶しているアドレス帳を受信し、
前記表示手段は、さらに、受信した複数のアドレス帳を統合し、統合されたアドレス帳に含まれる複数の電子メールアドレスを表示し、
前記入力手段は、さらに、操作者の操作により、表示された電子メールアドレスから、そのうちの一部の電子メールアドレスの選択を受け付け、
前記画像形成装置はさらに、選択を受け付けた電子メールアドレス宛に、前記画像データを添付した電子メールを送信する電子メール送信手段を備える
ことを特徴とする請求項１に記載の画像形成装置。
【請求項３】
前記複数の携帯端末は、それぞれ、自己宛の電子メールアドレスを表した二次元バーコードを表示し、
前記画像形成装置は、さらに、
表示された前記二次元バーコードから、電子メールアドレスを読み取るバーコード読取手段と、
読み取った電子メールアドレス宛に、前記画像データを添付した電子メールを送信する電子メール送信手段を備える
ことを特徴とする請求項１に記載の画像形成装置。
【請求項４】
前記画像形成装置とネットワークを介して接続されるサーバ装置は、前記複数の携帯端末それぞれの宛先を示す電子メールアドレスを記憶しており、
前記画像形成装置は、さらに、
サーバ装置から、ネットワークを介して、前記複数の携帯端末のみの、電子メールアドレスを受信する受信手段と、
受信した電子メールアドレス宛に、前記画像データを添付した電子メールを送信する電子メール送信手段を備える
ことを特徴とする請求項１に記載の画像形成装置。
【請求項５】
さらに、前記画像データのデータサイズ及び前記画像データの送信先の携帯端末の端末数に応じて、対価を算出し、算出した対価により、前記複数の携帯端末に課金する課金手段
を備えることを特徴とする請求項１に記載の画像形成装置。
【請求項６】
前記課金手段は、前記データサイズ又は端末数が所定値に達するまでは、対価を一定額としている
ことを特徴とする請求項５に記載の画像形成装置。
【請求項７】
前記入力手段は、さらに、前記画像データの出力先として、可搬型の記録媒体又はネットワークを介して接続されたサーバ装置の指定を利用者から受け付け、
前記画像形成装置はさらに、前記画像データを前記記録媒体又はネットワークを介して接続されたサーバ装置に出力する出力手段
を備えることを特徴とする請求項１に記載の画像形成装置。
【請求項８】
データが記録されている可搬型の記録媒体が画像形成装置に装着されている場合、
前記データ通信手段は、前記画像データとともに、さらに、前記可搬型の記録媒体に記録されているデータを、前記無線通信手段により、前記複数の携帯端末に対して送信する
ことを特徴とする請求項１に記載の画像形成装置。
【請求項９】
複数の携帯端末と、  無線通信手段を有し、自己の通信エリア内に存在する携帯端末と通信を行う画像形成装置とから構成されるサービスシステムであって、
前記画像形成装置は、
原稿上の画像を読み取って、画像データを生成する画像読取手段と、
前記無線通信手段により、通信エリア内に存在する複数台の携帯端末から、それぞれの携帯端末を示す識別情報を取得する取得手段と、
取得した複数の識別情報を表示する表示手段と、
前記表示手段により表示された前記複数の識別情報のうち、少なくとも一部の識別情報を選択可能な入力手段と、
前記入力手段により選択された携帯端末のみに対して、前記無線通信手段により、前記画像データを送信するデータ通信手段と
を備えることを特徴とするサービスシステム。
【請求項１０】
無線通信手段を備え、自己の通信エリア内に存在する携帯端末と通信を行うことのできる画像形成装置で用いられる制御方法であって、
原稿上の画像を読み取って、画像データを生成する画像読取ステップと、
前記無線通信手段により、通信エリア内に存在する複数台の携帯端末から、それぞれの携帯端末を示す識別情報を取得する取得ステップと、
取得した複数の識別情報を表示する表示ステップと、
前記表示ステップにより表示された前記複数の識別情報のうち、少なくとも一部の識別情報を選択可能な入力ステップと、
前記入力ステップにより選択された携帯端末のみに対して、前記無線通信手段により、前記画像データを送信するデータ通信ステップと
を含むことを特徴とする制御方法。
【請求項１１】
無線通信手段を備え、自己の通信エリア内に存在する携帯端末と通信を行うことのできる画像形成装置で用いられる制御用のコンピュータプログラムを記憶している記録媒体であって、
原稿上の画像を読み取って、画像データを生成する画像読取ステップと、
前記無線通信手段により、通信エリア内に存在する複数台の携帯端末から、それぞれの携帯端末を示す識別情報を取得する取得ステップと、
取得した複数の識別情報を表示する表示ステップと、
前記表示ステップにより表示された前記複数の識別情報のうち、少なくとも一部の識別情報を選択可能な入力ステップと、
前記入力ステップにより選択された携帯端末のみに対して、前記無線通信手段により、前記画像データを送信するデータ通信ステップと
を実行させるためのコンピュータプログラムを記憶している記録媒体。
【請求項１２】
無線通信手段を備え、自己の通信エリア内に存在する携帯端末と通信を行うことのできる画像形成装置で用いられる制御用のコンピュータプログラムであって、
原稿上の画像を読み取って、画像データを生成する画像読取ステップと、
前記無線通信手段により、通信エリア内に存在する複数台の携帯端末から、それぞれの携帯端末を示す識別情報を取得する取得ステップと、
取得した複数の識別情報を表示する表示ステップと、
前記表示ステップにより表示された前記複数の識別情報のうち、少なくとも一部の識別情報を選択可能な入力ステップと、
前記入力ステップにより選択された携帯端末のみに対して、前記無線通信手段により、前記画像データを送信するデータ通信ステップと
を実行させるためのコンピュータプログラム。
【発明の詳細な説明】
【技術分野】
【０００１】
本発明は、画像形成装置と複数台の携帯端末との間で、短距離無線により、データの送受信を行う技術に関し、特に、画像形成装置により読み取った画像データを、短距離無線により、前記複数台の携帯端末に対して送信する技術に関する。
【背景技術】
【０００２】
コンビニエンスストア等の公共の場所に設置されているマルチコピー機（以下、画像形成装置）により、利用者に対して、利用者のスマートフォン（以下、携帯端末）に記憶されている写真や文書を印刷するプリントサービスや、紙面上の原稿画像を読み取って、携帯端末に取り込むスキャンサービス等が提供されるようになってきている。
【０００３】
画像形成装置と携帯端末との間においては、Ｗｉ−Ｆｉ等の短距離無線により、データが送受信される。
【０００４】
画像形成装置により、紙面上の原稿画像を読み取って、携帯端末に取り込む場合の操作手順は、例えば、おおよそ次の通りである。
【０００５】
携帯端末の操作画面で、画像形成装置から送信される画像データを受信する機能を選択する。次に、画像形成装置の操作画面で、紙面上の原稿画像を読み取って、携帯端末に取り込む機能を選択すると、画像形成装置にＷｉ−Ｆｉの接続先と接続パスワードが表示される。次に、利用者は、画像形成装置に表示されたＷｉ−Ｆｉの接続先を、携帯端末において入力し、続いて、画像形成装置に表示された接続パスワードを、携帯端末において入力する。
【０００６】
以上の操作により、画像形成装置と携帯端末との間のＷｉ−Ｆｉによる接続が完了し、画像形成装置により読み取られた画像データが携帯端末に対して送信される。
【０００７】
しかし、上記のように、画像形成装置と携帯端末との間のＷｉ−Ｆｉ接続の設定操作においては、画像形成装置の操作画面に表示されたＷｉ−Ｆｉの接続先及び接続パスワードを携帯端末において入力しなければならず、Ｗｉ−Ｆｉ接続の設定操作は、利用者には、煩わしいという問題がある。
【０００８】
この問題を解決するため、特許文献１によると、画像形成装置は、携帯端末と無線により通信し、通信エリア内の通信可能な携帯端末を自動的に検出し、検出した携帯端末の端末名、ＭＡＣアドレス、メールアドレス等を、画像形成装置の表示部に、送信先選択画面として表示し、利用者は、表示された送信先選択画面から所望の携帯端末を選択し、選択した携帯端末に対して、情報を送信する。このように、画像形成装置と携帯端末と間の無線による接続設定の操作が簡素化されている。
【０００９】
また、特許文献２によると、複数の情報処理装置が接続された画像表示装置において、情報処理装置間でデータ転送を行うためのデータ転送操作時に、転送元と転送先との対応関係をユーザに直感的に認識させ、ユーザに簡単な操作でデータ転送を実行させることが開示されている。
【先行技術文献】
【特許文献】
【００１０】
【特許文献１】特開２０１５−３５７６７号公報
【特許文献２】特開２０１５−４３１２３号公報
【発明の概要】
【発明が解決しようとする課題】
【００１１】
上記の通り、特許文献１によると、画像形成装置と携帯端末と間の無線による接続設定の操作は、簡素化されているものの、画像形成装置の接続先は、情報の送信先の１台の携帯端末にすぎない。
【００１２】
これに対し、画像形成装置により読み取られた原稿画像を、短距離無線を用いて、複数の携帯端末により受信したい、という要望がある。
【００１３】
例えば、コンビニエンスストアに設置された画像形成装置の周囲に、友人関係にある複数の利用者が集まって、画像形成装置により原稿上の画像を読み取って、読み取った画像データをそれぞれの携帯端末に対して送信する。
【００１４】
この場合において、友人関係にある複数の利用者の携帯端末からなるグループに対して、友人関係にない第三者の携帯端末の加入が許されるなら、画像形成装置により読み取られた画像データが、第三者の携帯端末に送信される可能性があるという、不都合が発生する。
【００１５】
本発明は、画像形成装置により読み取られた画像データを、短距離無線を用いて、一定の関係を有する複数の利用者のそれぞれの携帯端末に対して送信するという要望に対応しつつ、上記の不都合が発生することを可能な限り抑制することができる画像形成装置、サービスシステム、制御方法、記録媒体及びコンピュータプログラムを提供することを目的とする。
【課題を解決するための手段】
【００１６】
上記目的を達成するため、本発明は、無線通信手段を有し、通信エリア内に存在する携帯端末と通信を行うことのできる画像形成装置であって、原稿上の画像を読み取って、画像データを生成する画像読取手段と、前記無線通信手段により、通信エリア内に存在する複数台の携帯端末から、それぞれの携帯端末を示す識別情報を取得する取得手段と、取得した複数の識別情報を表示する表示手段と、前記表示手段により表示された前記複数の識別情報のうち、少なくとも一部の識別情報を選択可能な入力手段と、前記入力手段により選択された携帯端末のみに対して、前記無線通信手段により、前記画像データを送信するデータ通信手段とを備えることを特徴とする。
【００１７】
ここで前記複数の携帯端末は、それぞれ、アドレス帳を記憶しており、各アドレス帳は、電子メールの宛先を示す１又は複数の電子メールアドレスを含み、前記データ通信手段は、さらに、前記無線通信手段により、前記携帯端末から、それぞれが記憶しているアドレス帳を受信し、前記表示手段は、さらに、受信した複数のアドレス帳を統合し、統合されたアドレス帳に含まれる複数の電子メールアドレスを表示し、前記入力手段は、さらに、操作者の操作により、表示された電子メールアドレスから、そのうちの一部の電子メールアドレスの選択を受け付け、前記画像形成装置はさらに、選択を受け付けた電子メールアドレス宛に、前記画像データを添付した電子メールを送信する電子メール送信手段を備えていてもよい。
【００１８】
ここで、前記複数の携帯端末は、それぞれ、自己宛の電子メールアドレスを表した二次元バーコードを表示し、前記画像形成装置は、さらに、表示された前記二次元バーコードから、電子メールアドレスを読み取るバーコード読取手段と、読み取った電子メールアドレス宛に、前記画像データを添付した電子メールを送信する電子メール送信手段を備えていてもよい。
【００１９】
ここで、前記画像形成装置とネットワークを介して接続されるサーバ装置は、前記複数の携帯端末それぞれの宛先を示す電子メールアドレスを記憶しており、前記画像形成装置は、さらに、サーバ装置から、ネットワークを介して、前記複数の携帯端末のみの、電子メールアドレスを受信する受信手段と、受信した電子メールアドレス宛に、前記画像データを添付した電子メールを送信する電子メール送信手段を備えていてもよい。
【００２０】
さらに、前記画像データのデータサイズ及び前記画像データの送信先の携帯端末の端末数に応じて、対価を算出し、算出した対価により、前記複数の携帯端末に課金する課金手段を備えていていもよい。
【００２１】
ここで前記課金手段は、前記データサイズ又は端末数が所定値に達するまでは、対価を一定額としてもよい。
【００２２】
ここで、前記入力手段は、さらに、前記画像データの出力先として、可搬型の記録媒体又はネットワークを介して接続されたサーバ装置の指定を利用者から受け付け、
前記画像形成装置はさらに、前記画像データを前記記録媒体又はネットワークを介して接続されたサーバ装置に出力する出力手段を備えていてもよい。
【００２３】
ここで、データが記録されている可搬型の記録媒体が画像形成装置に装着されている場合、前記データ通信手段は、前記画像データとともに、さらに、前記可搬型の記録媒体に記録されているデータを、前記無線通信手段により、前記複数の携帯端末に対して送信してもよい。
【００２４】
また、本発明は、複数の携帯端末と、無線通信手段を有し、自己の通信エリア内に存在する携帯端末と通信を行う画像形成装置とから構成されるサービスシステムであって、前記画像形成装置は、原稿上の画像を読み取って、画像データを生成する画像読取手段と、前記無線通信手段により、通信エリア内に存在する複数台の携帯端末から、それぞれの携帯端末を示す識別情報を取得する取得手段と、取得した複数の識別情報を表示する表示手段と、前記表示手段により表示された前記複数の識別情報のうち、少なくとも一部の識別情報を選択可能な入力手段と、前記入力手段により選択された携帯端末のみに対して、前記無線通信手段により、前記画像データを送信するデータ通信手段とを備えていてもよい。
【００２５】
また、本発明は、無線通信手段を備え、自己の通信エリア内に存在する携帯端末と通信を行うことのできる画像形成装置で用いられる制御方法であって、原稿上の画像を読み取って、画像データを生成する画像読取ステップと、前記無線通信手段により、通信エリア内に存在する複数台の携帯端末から、それぞれの携帯端末を示す識別情報を取得する取得ステップと、取得した複数の識別情報を表示する表示ステップと、前記表示ステップにより表示された前記複数の識別情報のうち、少なくとも一部の識別情報を選択可能な入力ステップと、前記入力ステップにより選択された携帯端末のみに対して、前記無線通信手段により、前記画像データを送信するデータ通信ステップとを含むことを特徴とする。
【００２６】
上記目的を達成するため、本発明は、無線通信手段を備え、自己の通信エリア内に存在する携帯端末と通信を行うことのできる画像形成装置で用いられる制御用のコンピュータプログラムを記憶している記録媒体であって、原稿上の画像を読み取って、画像データを生成する画像読取ステップと、前記無線通信手段により、通信エリア内に存在する複数台の携帯端末から、それぞれの携帯端末を示す識別情報を取得する取得ステップと、取得した複数の識別情報を表示する表示ステップと、前記表示ステップにより表示された前記複数の識別情報のうち、少なくとも一部の識別情報を選択可能な入力ステップと、前記入力ステップにより選択された携帯端末のみに対して、前記無線通信手段により、前記画像データを送信するデータ通信ステップとを実行させるためのコンピュータプログラムを記憶している。
【００２７】
上記目的を達成するため、本発明は、無線通信手段を備え、自己の通信エリア内に存在する携帯端末と通信を行うことのできる画像形成装置で用いられる制御用のコンピュータプログラムであって、原稿上の画像を読み取って、画像データを生成する画像読取ステップと、前記無線通信手段により、通信エリア内に存在する複数台の携帯端末から、それぞれの携帯端末を示す識別情報を取得する取得ステップと、取得した複数の識別情報を表示する表示ステップと、前記表示ステップにより表示された前記複数の識別情報のうち、少なくとも一部の識別情報を選択可能な入力ステップと、前記入力ステップにより選択された携帯端末のみに対して、前記無線通信手段により、前記画像データを送信するデータ通信ステップとを実行させることを特徴とする。
【発明の効果】
【００２８】
本発明によれば、画像形成装置は、入力手段により選択された携帯端末のみに対して、読み取った画像データを送信する。この場合に、画像形成装置は、グループに含まれない第三者の携帯端末に対して画像データを送信することがなく、グループを構成する複数の携帯端末の利用者により共有される情報が、第三者の携帯端末の利用者に知られることを可能な限り抑制することができる。
【図面の簡単な説明】
【００２９】
【図１】サービスシステム１の概略構成を示す概略構成図である。
【図２】画像形成装置１０００の機能構成を示す機能ブロック図である。
【図３】図３（ａ）は、携帯端末リスト１３１の一例を示す。図３（ｂ）は、選択リスト１３２の一例を示す。図３（ｃ）は、コピー先情報１３３の一例を示す。図３（ｄ）は、アップロード情報１３４の一例を示す。図３（ｅ）は、メール宛先情報の一例を示す。
【図４】スキャン条件設定画面ＳＣ１１、原稿準備画面ＳＣ１２、スキャン実行画面ＳＣ１３、決済画面ＳＣ１４を示す。
【図５】出力先種別選択画面ＳＣ２１、フォルダ入力画面ＳＣ２２、携帯端末選択画面ＳＣ２３の一例を示す。
【図６】ＵＲＬ入力画面ＳＣ２４、メールアドレス入力画面ＳＣ２５、出力先確認画面ＳＣ２６の一例を示す。
【図７】メールアドレス帳画面ＳＣ４１の一例を示す。
【図８】画像形成装置１０００により表示される画像データ送信画面ＳＣ３１及び画像データ送信終了画面ＳＣ３３を示す。また、携帯端末２００ａにより表示されるアプリケーション起動画面ＳＣ３０、画像データ受信画面ＳＣ３２及び画像データ受信終了画面ＳＣ３４を示す。
【図９】携帯端末２００ａの機能構成を示す機能ブロック図である。
【図１０】（ａ）及び（ｂ）は、それぞれ、基本情報２４１及び基本情報２４２の一例を示す。図１０（ｃ）は、メールアドレス帳２４３の一例を示す。
【図１１】画像形成装置１０００によるスキャンサービス提供手順を示すフローチャートである。
【図１２】出力先設定手順を示すフローチャートである。
【図１３】携帯端末を選択する手順を示すフローチャートである。
【図１４】課金処理部１１７による課金処理の手順を示すフローチャートである。
【図１５】画像データの出力処理の詳細手順を示すフローチャートである。
【図１６】メールアドレスの取得及び宛て先の設定の処理手順を示すフローチャートである。
【図１７】送信するデータ量毎、及び、利用人数毎に規定された料金表１３６の一例を示す。
【発明を実施するための形態】
【００３０】
本発明に係る１つの実施形態としてのサービスシステム１について、図面を参照しながら説明する。
【００３１】
１．１  サービスシステム１
図１は、サービスシステム１の概略構成を示す概略構成図である。
【００３２】
サービスシステム１は、例えば、コンビニエンスストア等の公共の場所に設置された画像形成装置１０００と、画像形成装置１０００を中心とする無線通信エリア３０内に存在する携帯端末２００ａ、２００ｂ、２００ｃ、２００ｄとが、短距離無線通信により、相互に通信可能に接続される構成となっている。この図に示すように、携帯端末２００ｅは、無線通信エリア３０の外に存在するので、短距離無線通信により、画像形成装置１０００と接続されることはない。尚、短距離無線通信には、ＩＥＥＥ８０２．１１に規定されたＷｉ−Ｆｉによる通信を用いるが、ＩＥＥＥ８０２.１５.１による近距離通信［Ｂｌｕｅｔｏｏｔｈ（登録商標）による無線通信、以下、Ｂｌｕｅｔｏｏｔｈと呼ぶ］、ＩＳＯ１４４４３  ＴｙｐｅＡ、ＴｙｐｅＢによる近距離通信（Near Field Communication、以下ＮＦＣと呼ぶ）、赤外線通信を用いてもよい。
【００３３】
画像形成装置１０００は、公衆ネットワーク２０００を介して、サーバ装置２００１に接続されている。また、画像形成装置１０００には、利用者の操作により、スロット１００２を介して、リムーバルメディア１００３が着脱される。ここで、リムーバルメディア１００３は、メモリカード、ディスク媒体等、利用者が持ち運び可能な可搬型の記録媒体である。
【００３４】
また、公衆ネットワーク２０００には、機器２００２が接続されている。機器２００２は、例えば、パーソナルコンピュータである。
【００３５】
サービスシステム１は、携帯端末２００ａ、２００ｂ、・・・に記憶されている文書データ、写真データ等を画像形成装置１０００により、紙媒体に印刷するプリントサービス、及び、画像形成装置１０００により原稿から読み取った多階調の画像データを携帯端末２００ａ、２００ｂ、・・・に送信するスキャンサービス等を利用者に対して提供する。
【００３６】
スキャンサービスでは、画像データの携帯端末２００ａ、２００ｂ、・・・に対する送信に加えて、その他の複数種類の出力先に出力することが可能である。利用者は、複数種類の出力先として、リムーバルメディア１００３、サーバ装置２００１、機器２００２を選択することができる。画像形成装置１０００は、画像データをリムーバルメディア１００３に書き込む。また、画像形成装置１０００は、画像データを、公衆ネットワーク２０００を介して、サーバ装置２００１に対して送信する。さらに、画像形成装置１０００は、画像データを、電子メールに添付して、機器２００２に送信する。
【００３７】
図１に示すグループ４０（グループ４０を選択グループ４０と呼ぶ）の携帯端末２００ａ及び２００ｂは、一定の関係がある２人以上の利用者によって所持されている。そうした、一定の関係としては、例えば、複数の利用者が職場の同じ組織に属している関係、友人関係、家族の関係等を含み得る。画像形成装置１０００は、携帯端末２００ａ及び２００ｂの利用者が、短距離無線を用いてスキャンサービスを利用する場合の共通のサービス拠点となる。
【００３８】
例えば、無線通信エリア３０内に存在する携帯端末２００ａ及び２００ｂは、それぞれ、内部に記憶している写真データを、短距離無線通信により、画像形成装置１０００に送信し、画像形成装置１０００は、写真データを受信し、受信した写真データを後述する印刷部１１５により印刷する。
【００３９】
また、画像形成装置１０００は、後述する画像読取部１１６により、原稿上の原稿画像を読み取って、多階調の画像データを生成し、生成した多階調の画像データを、短距離無線通信により、無線通信エリア３０内に存在する携帯端末２００ａ及び２００ｂに対して送信する。携帯端末２００ａ及び２００ｂは、それぞれ、多階調の画像データを受信し、受信した多階調の画像データを内部に記憶する。携帯端末２００ａ及び２００ｂは、利用者の操作により、記憶している多階調の画像データを表示可能である。
【００４０】
このようにして、利用者は、外出先にあっても、コンビニエンスストアに立ち寄れば、携帯端末に記憶されているデータを紙媒体に印刷したり、紙媒体等から読み取った画像データを携帯端末に記憶させたりして、これらの紙媒体やデータを利用することができる。また、特定の複数の携帯端末のみにより、短距離無線を用いて、１台の画像形成装置１０００を共同して使用する。この際、画像形成装置１０００は、たまたま同じコンビニエンスストアに居合わせて、無線通信エリア３０に所在するが、選択グループ４０に含まれない携帯端末２００ｃ、ｄを、スキャンサービスから排除する。
【００４１】
１．２  画像形成装置１０００
図２は、画像形成装置１０００の機能構成を示す機能ブロック図である。
【００４２】
画像形成装置１０００は、例えば、複写機能、ファクシミリ機能及びプリンタ機能等を有する装置であり、この図に示すように、制御部１１１、表示部１１２、記憶部１１３、操作入力部１１４、印刷部１１５、画像読取部１１６、課金処理部１１７、データ通信部１１８、短距離無線通信部１１９、アンテナ１２０、ファクシミリ通信部１２１及びファイル記録部１２２を備えている。
【００４３】
（１）記憶部１１３
記憶部１１３は、制御部により実行される制御プログラムのワークエリアとして機能するＲＡＭ、不揮発メモリ、画像形成装置１０００に組み込まれた、組込み型の記録媒体等で構成される。記憶部１１３には、スキャンにより得られた画像データ１３０、携帯端末リスト１３１、選択リスト１３２、コピー先情報１３３、アップロード情報１３４、メール宛先情報１３５、料金表１３６が記憶される。
【００４４】
画像データ１３０は、紙媒体等の原稿上の画像を光学的に読み取り、画像処理を施すことで生成され、ＪＰＥＧ、ＰＤＦ、ＴＩＦＦといったファイル形式で記憶部１１３に保存される。
【００４５】
携帯端末リスト１３１は、無線通信エリア３０に存在する携帯端末であって、画像形成装置１０００による携帯端末のサーチにより検出された携帯端末２００ａ、２００ｂ、２００ｃ、２００ｄを示す識別情報を含んでいる。図３（ａ）は、携帯端末リスト１３１の一例を示す。本図の文字列「ＯＳ３．０  ＤｅｖｉｃｅＡ  ○○太郎」、「ＰｈｏｎｅＡ  □□太郎」、「ＯＳ４．０  ＤｅｖｉｃｅＢ  △△太郎」、「ＰｈｏｎｅＢ  ××太郎」は、それぞれ、携帯端末２００ａ、２００ｂ、２００ｃ、２００ｄのそれぞれに付与された識別情報であり、携帯端末リスト１３１は、これらの識別情報を列挙することにより、無線通信エリア３０に存在する携帯端末の存在を明示する。
【００４６】
選択リスト１３２は、画像形成装置１０００による携帯端末のサーチにより検出され、携帯端末リスト１３１に明示された携帯端末２００ａ、２００ｂ、２００ｃ、２００ｄのうち、選択グループ４０に含まれるとして、利用者によって選ばれたもの（図１の例では携帯端末２００ａ、ｂ）の識別情報をグループ化したものである。図３（ｂ）は、選択リスト１３２の一例を示す。本図の文字列「ＯＳ３．０  ＤｅｖｉｃｅＡ  ○○太郎」は、選択グループ４０に含まれる利用者によって所持されているとして、携帯端末リスト１３１の携帯端末の中から選ばれた、携帯端末２００ａを示す。画像形成装置１０００は、選択リスト１３２に含まれる識別情報により特定された携帯端末との間で、アドホックモードによる無線接続を確立し、短距離無線通信による通信を行う。一方、画像形成装置１０００は、選択リスト１３２に含まれない識別情報によりに示される携帯端末との間とでは、アドホックモードによる無線接続を確立しない。
【００４７】
コピー先情報１３３は、スロット１００２に装着されたリムーバルメディア１００３の格納用フォルダを、画像データ１３０のコピー先として示す。図３（ｃ）における「G:￥フォルダ１」は、リムーバルメディア１００３のフォルダであって、後述するフォルダ入力画面ＳＣ２２により指定されたフォルダの一例を示す。
【００４８】
アップロード情報１３４は、サーバ装置２００１における１のストレージを宛先として示す。図３（ｄ）における「ｈｔｔｐ：//www.cloud1.com/user111」は、アップロードの宛先として、入力されたURLの一例である。ここで、www.cloud1.comは、例えば、サーバ装置２００１を指し示す。
【００４９】
メール宛先情報１３５は、電子メールの宛先となるメールアドレスを示す。このメールアドレスを宛先とする電子メールに画像データ１３０が添付されて送信される。図３（ｅ）における「Yamada@DD.co.jp」は、後述するメールアドレス入力画面ＳＣ２５で入力されたメールアドレスの一例である。
【００５０】
料金表１３６は、複数の料金を、画像データのデータサイズの数値範囲と、スキャンサービスを利用する利用人数の数値範囲とに対応付けて示す（図１７を参照）。
【００５１】
（２）制御部１１１
制御部１１１は、記憶部１１３から必要なプログラム等を読み出して実行し、画像形成装置１０００全体を制御する。制御部１１１は、画面構成部１４１、取得部１４３、送受信部１４４、対価情報生成部１４５、メール通信部１４６等から構成されている。
【００５２】
画面構成部１４１は、スキャンサービスを実行するにあたって、画像データの複数の出力先の種別や、種別毎の出力先の具体的な情報の入力を促すための様々な画面を生成して、表示部１１２に表示させる。
【００５３】
取得部１４３は、複数種別の出力先の１つとして、無線通信エリア３０に位置する携帯端末を選択する操作を操作入力部１１４が受け付けた場合、無線通信エリア３０内に存在する１台又は複数台の携帯端末から、短距離無線通信部１１９により、それぞれの携帯端末を示す識別情報を取得する。
【００５４】
送受信部１４４は、画像形成装置１０００と、携帯端末との間で、データの送受信を行う。例えば、送受信部１４４は、短距離無線通信部１１９により、各携帯端末に対して、識別番号を送信する。また、送受信部１４４は、短距離無線通信部１１９により、各携帯端末から、写真データ、文書データ等を受信し、短距離無線通信部１１９により、各携帯端末に対して、多階調の画像データを送信する。また、送受信部１４４は、後述する対価情報を、特定の一台の携帯端末、又は、複数の携帯端末に対して、それぞれ、送信する。
【００５５】
対価情報生成部１４５は、プリントサービスやスキャンサービスの提供の対価を示す対価情報を生成する。なお、携帯端末が１台の場合には、当該携帯端末に対する対価情報を生成し、携帯端末が複数台の場合には、複数の携帯端末に対する対価をそれぞれの携帯端末に振り分けて、それぞれの携帯端末に対する対価情報を生成する。また、対価情報生成部１４５は、後述する決済方法（特定の一台の携帯端末に対して、対価を集約して請求するか、又は、複数の携帯端末の各々に対して、対価を請求するか）に従って、特定の一台の携帯端末に対して、対価を集約して請求するか、又は、前記複数の携帯端末の各々に対して、対価を請求するかを決定する。対価を集約して請求する場合、特定の一台の携帯端末について、集約した対価を示す対価情報を生成する。
【００５６】
メール通信部１４６は、画像データ１３０の出力先として、メールアドレス経由による出力が指定されている場合、記憶部１１３におけるメール宛先情報１３５に示されるメールアドレスを宛先とする電子メールに、画像データ１３０を添付して、公衆ネットワーク２０００に接続されている機器２００２に送信する。ここで、メールアドレスは、機器２００２を宛て先として指し示す。
【００５７】
（３）画像読取部１１６及び印刷部１１５
画像読取部１１６は、原稿上の原稿画像を読み取り、多階調の画像データを生成する。
【００５８】
印刷部１１５は、例えば、画像読取部１１６により生成された多階調の画像データ、又は、各携帯端末から受信した写真データや文書データを、電子写真方式により紙媒体等に印刷して記録する。
【００５９】
（４）表示部１１２
表示部１１２は、例えば、液晶表示装置である。なお、表示部１１２は、ＥＬ表示装置等、如何なる種類のものであってもよく、また、画像形成装置１０００と一体化された小型のものであっても、また、画像形成装置１０００に接続された大型のものであってもよい。表示部１１２は、画面構成部１４１が生成した様々な画面を、ユーザ操作に応じて順次、表示に供することで、対話的な操作環境をユーザに提供する。
【００６０】
（５）操作入力部１１４
操作入力部１１４は、複数の操作キー及び表示部１１２の画面に重ねられたタッチパネルを有し、操作キーやタッチパネルの操作に応じた入力指示を制御部１１１に出力する。例えば、制御部１１１は、操作入力部１１４からの入力指示に応答して画像読取部１１６を制御して、画像読取部１１６により原稿上の画像を読み取らせ、印刷部１１５を制御して、印刷部１１５により原稿の画像を紙媒体等に印刷させる。また、操作入力部１１４は、例えば、利用者の操作により、課金方法の入力を受け付ける。ここで、課金方法は、現金又は携帯端末での課金のいずれかである。
【００６１】
また、操作入力部１１４は、利用者のタッチ操作により、画像形成装置１０００が提供するプリントサービスやスキャンサービス等のサービスを使用した場合における対価の決済方法の入力を受け付ける。決済方法は、複数の携帯端末により画像形成装置１０００が提供するサービスを使用した場合において、特定の一台の携帯端末に対して、対価を集約して請求するか、又は、複数の携帯端末の各々に対して、対価を請求するかを示す。
【００６２】
（６）課金処理部１１７、データ通信部１１８、短距離無線通信部１１９
課金処理部１１７は、プリントサービスやスキャンサービス等の使用料の課金処理を実行する。
【００６３】
データ通信部１１８は、サービス提供業者の構内ネットワークであるＬＡＮを介して公衆ネットワーク２０００と接続されており、サーバ装置２００１との通信を行う。特に、画像データ１３０の出力先としてサーバ装置２００１が指定された場合、アップロード情報１３４に示されるＵＲＬに基づき、公衆ネットワーク２０００におけるサーバ装置２００１との接続を確立し、画像データ１３０が格納されたファイルをアップロードする。
【００６４】
短距離無線通信部１１９は、画像データ１３０の出力先として携帯端末２００ａ、ｂ、ｃ、ｄのうち、２以上のものが画像データの出力先として指定された場合、無線通信エリア３０内に存在する携帯端末２００ａ、ｂ、ｃ、ｄのうち、出力先として指定されたものを対象として、アンテナ１２０を用いてアドホックモードによる無線接続を利用したアプリケーション間通信を行い、画像データ１３０を携帯端末２００ａ、ｂ、ｃ、ｄのうち、選択グループ４０に属するものに送信する。アドホックモードでは、携帯端末２００ａ，２００ｂと、短距離無線通信部１１９とが、エクステントサービスセット識別子を共有し、ホップ数が「１」の無線通信を行う。アドホックモードによる無線接続のホップ数は「１」であるから、画像形成装置１０００を通じて、携帯端末２００ａ、２００ｂが、画像形成装置１０００が帰属するサービス提供業者の構内ネットワークをアクセスすることはない。そうしたホップ数の制限により、構内ネットワークのセキュリティを保つことができる。また、Ｗｉ−Ｆｉの無線接続の特徴を活用して、１台の画像形成装置１０００と、複数台の携帯端末２００ａ、２００ｂとの短無線接続を行うので、保存先を指定するための入力操作の手間が解消される。また、携帯端末２００ａ、２００ｂとの無線接続は、通信事業者の回線の経由なしになされるので、サービス提供業者が別個に通信料金を負担することはない。スキャンサービスの提供業者の立場からすれば、送信方法やサービス料金の料金体系を柔軟に設定できるという工夫の余地が生じるので、スキャンサービスの一層の充実化を図ることができる。
【００６５】
（７）ファクシミリ通信部１２１、ファイル記録部１２２
ファクシミリ通信部１２１は、公衆回線等を通じて、他のファクシミリ端末等との間でファクシミリ通信を行う。
【００６６】
ファイル記録部１２２は、出力先としてスロット１００２に装着されたリムーバルメディア１００３におけるフォルダが指定された場合、コピー先情報１３３に従い、記憶部１１３に格納された画像データ１３０を、スロット１００２に装着されたリムーバルメディア１００３に書き込む。
【００６７】
（８）画面構成部１４１により構成される画面
画面構成部１４１により構成される画面について説明する。スキャンサービスの実行にあたり、画面構成部１４１は、スキャン条件の設定の段階、原稿準備の段階、原稿スキャン中の段階、会計の段階のそれぞれで、図４に示すスキャン条件設定画面ＳＣ１１、原稿準備画面ＳＣ１２、スキャン実行画面ＳＣ１３、決済画面ＳＣ１４を表示し、利用者による適切な操作を促す。
【００６８】
図４に示すように、スキャン条件設定画面ＳＣ１１は、出力先設定ボタンＢ１１１、ファイル形式指定メニューＢ１１２、解像度指定メニューＢ１１３、ページ割付メニューＢ１１４、片面両面指定メニューＢ１１５、ＯＫボタンＥ１１を含む。
【００６９】
出力先設定ボタンＢ１１１は、後述する出力先種別選択画面ＳＣ２１の表示に遷移するために利用者により、操作される。ファイル形式指定メニューＢ１１２は、ＪＰＥＧ、ＰＤＦ、ＴＩＦＦといった、画像データの複数のファイル形式を示し、何れかのファイル形式の指定を受け付ける。解像度指定メニューＢ１１３は、２００ｄｐｉ、３００ｄｐｉ、６００ｄｐｉといった解像度を提示して、利用者操作に従い、これらの何れかの解像度を設定する。ページ割付メニューＢ１１４及び片面両面指定メニューＢ１１５は、２ｉｎ１、４ｉｎ１、８ｉｎ１、片面／両面の何れかの設定を受け付ける。
【００７０】
原稿準備画面ＳＣ１２は、スキャン条件設定画面ＳＣ１１に対してスキャン条件が設定された後、読取対象となる原稿の準備を促すため、表示される画面であり、画像形成装置１０００の上部の原稿読取装置の載置台に原稿をセットするか、原稿読取装置のプラテン板に載置する旨の提示と、原稿セットの完了後、スキャン開始の指示を利用者から受け付けるためのスタートボタンＥ１２とを含む。
【００７１】
スキャン実行画面ＳＣ１３は、原稿準備画面ＳＣ１２に表示されるスタートボタンＥ１２が操作され、原稿のスキャンが開始された際、表示される画面であり、現在のスキャン枚数を示す枚数カウンターＢ１３と、スキャン処理の中止を受け付ける中止ボタンＥ１３とを含む。
【００７２】
決済画面ＳＣ１４は、原稿スキャンの対象となったスキャン枚数、及び、画像データのデータサイズが確定し、選択グループ４０に属する利用人数が確定した段階で生成される画面であり、スキャンの対象となった原稿の枚数Ｂ１４１と、出力先として特定された携帯端末数である利用人数Ｂ１４２と、画像読取部１１６により読み取られた画像データのデータサイズＢ１４３と、これらを基に算出されたサービス料金対価Ｂ１４４と、現金決済か、携帯端末による決済かの指定を受け付けるボタンＢ１４５、Ｂ１４６と、一人での支払いか複数人での支払いかの指定を受け付けるボタンＢ１４７、Ｂ１４８と、利用者により上記設定が承認された場合に操作される決定ボタンＥ１４とを含む。
【００７３】
図４のスキャン条件設定画面ＳＣ１１において、出力先設定ボタンＢ１１１が操作された場合、出力先の詳細な内容の設定を受け付けるべく、画面構成部１４１は、図５に示すような、出力先種別選択画面ＳＣ２１、フォルダ入力画面ＳＣ２２、携帯端末選択画面ＳＣ２３、図６に示すような、ＵＲＬ入力画面ＳＣ２４、メールアドレス入力画面ＳＣ２５、出力先確認画面ＳＣ２６及び図７に示すようなメールアドレス帳画面ＳＣ４１を作成する。
【００７４】
出力先種別選択画面ＳＣ２１は、図５に示すように、チェックボックスＢ２１１、Ｂ２１２、Ｂ２１３、Ｂ２１４と、ＯＫボタンＥ２１とを含む。チェックボックスＢ２１１、Ｂ２１２、Ｂ２１３、Ｂ２１４は、「メディアに保存する」、「スマートフォンに出力する」、「サーバに出力する」、「メールアドレス経由で出力する」という選択項目のチェックを受け付ける。選択項目の１つである「メディアに保存する」は、スロット１００２に装着されたリムーバルメディア１００３に、画像データを保存するという出力方式を示す。「スマートフォンに出力する」は、無線通信エリア３０に存在する携帯端末２００ａ、ｂ、ｃ、ｄに、画像データを保存するという出力方式を示す。「サーバに出力する」は、公衆ネットワーク２０００におけるサーバ装置２００１に、画像データを出力するという内容の出力方式を意味する。「メールアドレス経由で出力する」は、公衆ネットワーク２０００に接続された機器２００２に、画像データを添付した電子メールを送信するという出力方式を示す。ＯＫボタンＥ２１は、出力先種別ボックスの選択がなされた後、選択内容の確定意思を利用者から受け付ける。
【００７５】
フォルダ入力画面ＳＣ２２は、出力先種別選択画面ＳＣ２１において、出力先種別の１つとして、「メディアに保存する」が選択された場合のみ表示される画面である。フォルダ入力画面ＳＣ２２は、スロット１００２に装着されたリムーバルメディア１００３のフォルダを示すフォルダ表示欄Ｂ２２１、Ｂ２２２と、フォルダ表示欄Ｂ２２１、Ｂ２２２の中から選ばれたフォルダを表示するフォルダ入力欄Ｂ２２３と、利用者による入力の確定意思を受け付ける次ボタンＥ２２とを含む。
【００７６】
携帯端末選択画面ＳＣ２３は、出力先種別選択画面ＳＣ２１において、出力先種別の１つとして、「スマートフォンに出力する」が選択された場合のみ表示される画面である。携帯端末選択画面ＳＣ２３は、無線通信エリア３０に存在する複数の携帯端末２００ａ、ｂ、ｃ、ｄのそれぞれに対応するチェックボックスＢ２３１、２３２、２３３、２３４と、ＯＫボタンＥ２３とを含む。チェックボックスＢ２３１、２３２、２３３、２３４は、何れかの携帯端末（携帯端末２００ａ、ｂ、ｃ、ｄ）を選択するかの指定を受け付けるためのものである。ＯＫボタンＥ２３は、利用者による上記の入力の確定意思を受け付けるためのものである。
【００７７】
ＵＲＬ入力画面ＳＣ２４は、出力先種別選択画面ＳＣ２１において、出力先種別の１つとして、「サーバに出力する」が選択された場合のみ表示される画面である。ＵＲＬ入力画面ＳＣ２４は、出力先となるサーバの所在を特定するロケータ情報（ＵＲＬ）の入力を受け付けるためのＵＲＬ入力欄Ｂ２４１と、ＵＲＬの入力確定操作を利用者から受け付けるための次ボタンＥ２４とを含む。
【００７８】
メールアドレス入力画面ＳＣ２５は、出力先種別選択画面ＳＣ２１において、出力先種別の１つとして、「メールアドレス経由で出力する」が選択された場合のみ表示される画面である。メールアドレス入力画面ＳＣ２５は、メールアドレスの入力を受け付けるためのメールアドレス入力欄Ｂ２５１、Ｂ２５２と、携帯端末からアドレス帳を取得するためのアドレス帳取得ボタンＲ２５と、メールアドレスの入力確定操作を利用者から受け付けるための次ボタンＥ２５とを含む。
【００７９】
出力先確認画面ＳＣ２６は、フォルダ入力画面ＳＣ２２、携帯端末選択画面ＳＣ２３、ＵＲＬ入力画面ＳＣ２４、メールアドレス入力画面ＳＣ２５を通じて、入力された出力先の確認を促す画面であり、出力先の表示欄Ｂ２６１〜２６６と、ＯＫボタンＥ２６と、戻るボタンＲ２６とを含む。
【００８０】
図７に示すメールアドレス帳画面ＳＣ４１は、メールアドレス入力画面ＳＣ２５の表示時において、アドレス帳取得ボタンＲ２５が押下された際、表示される画面であり、ひらがな行（あ行、か行、さ行、た行、・・・）のそれぞれに対応するタブＴ１、Ｔ２、Ｔ３、Ｔ４、・・・を含み、さらに、各タブに対応する表示欄を含む。例えば、１つのタブＴ１による表示欄は、あ行に属する名前に対応する複数のメールアドレス欄Ｂ４１１、Ｂ４１２、Ｂ４１３、Ｂ４１４・・・を含む。タブＴ２、Ｔ３、Ｔ４、・・・に対応する表示欄についても、同様である。
【００８１】
以上のように画面構成部１４１は、出力先種別選択画面ＳＣ２１において、出力先種別の選択を受け付け、選択された出力先種別に応じて、フォルダ入力画面ＳＣ２２、携帯端末選択画面ＳＣ２３、ＵＲＬ入力画面ＳＣ２４、メールアドレス入力画面ＳＣ２５の中から選択された画面を表示し、出力先の具体的な情報の入力を利用者から受け付けるという、階層的な入力操作を実現する。
【００８２】
図４の決済画面ＳＣ１４に対する入力が確定して、決定ボタンＥ１４が操作されると、画像形成装置１０００は、画像データを送信する送信段階に移行する。この際、画面構成部１４１は、図８に示す画像データ送信画面ＳＣ３１を表示する。画像データ送信画面ＳＣ３１は、画像データ１３０の送信がなされている間、表示される画面である。画像データ送信画面ＳＣ３１は、画像データを格納したファイルを複数送信する場合、現在、何番目のファイルの送信中かを示すポップアップ画面Ｍ３１を含み、ポップアップ画面Ｍ３１は、データ送信の中止操作を利用者から受け付けるためのキャンセルボタンＢ３１を含む。
【００８３】
画像データ送信終了画面ＳＣ３３は、画像データの送信が終了した際、表示される画面であり、画像データファイルの送信数を示すポップアップ画面Ｍ３３を含み、ポップアップ画面Ｍ３３は、利用者による確認操作を受け付けるＯＫボタンＢ３３を含む。
【００８４】
１．３  携帯端末２００ａ、２００ｂ、・・・、２００ｅ
ここでは、携帯端末２００ａ、２００ｂ、・・・、２００ｅを代表して、携帯端末２００ａについて説明する。なお、２００ｂ、・・・、２００ｅは、携帯端末２００ａと同一構成を有しているので、これらの携帯端末についての説明を省略する。また、携帯端末２００ａ、２００ｂ、・・・・２００ｅの構成要素に言及する場合には、携帯端末２００ａの構成要素と同じ番号を用いる。
【００８５】
図９は、携帯端末２００ａの機能構成を示す機能ブロック図である。携帯端末２００ａは、例えば、電話通話機能、電子メール送受信部機能、ネットワーク接続機能、写真撮影機能、アプリケーションプログラム実行機能を有する携帯型の移動通信装置である。携帯端末２００ａは、図９に示すように、制御部２１１、表示部２１２、記憶部２１３、操作入力部２１４、入出力部２１５、スピーカ２１６、課金処理部２１７、短距離無線通信部２１９、アンテナ２２０、無線通信部２２１、アンテナ２２２、カメラ部２２３から構成される。
【００８６】
（１）記憶部２１３
記憶部２１３は、制御部２１１により実行される制御プログラムのワークエリアとして機能し、また、各種の制御プログラム、アプリケーションプログラム、携帯端末２００ａの識別情報である基本情報２４１、メールアドレス帳２４３、画像データが格納されるＲＡＭ等からなる。
【００８７】
基本情報２４１は、図１０（ａ）に示すように、機種名（PhoneA）、利用者名「△△太郎」を含む。また、基本情報としては、図１０（ｂ）の基本情報２４２に示すように、OS名（OperatingSystem3.0）、機種名「deviceＡ」及び利用者名「○○太郎」を含むものもある。基本情報を構成する要素情報は、携帯端末の製造者毎に異なる。
【００８８】
メールアドレス帳２４３には、１又は複数のアドレス情報が含まれている。各アドレス情報は、名前、所属、メールアドレス及びグループを含む。名前は、メールアドレスが示す宛て先の利用者を示す名称であり、所属は、その利用者が属する組織を示す。メールアドレスは、電子メールの宛て先であるアドレスであり、グループは、当該メールアドレスが属するグループを示す。メールアドレス帳２４３は、メールを送信する場合、宛先の候補として、利用者への提示に用いられる。
【００８９】
メールアドレス帳２４３は、例えば、図１０（ｃ）に示すように、複数のメールアドレス（andoh.taroh@□□.co.jp、ito.taroh@○○.co.jp、・・・）のそれぞれに、宛先となる利用者の名前（安藤太郎、伊藤太郎、・・・）や所属（□□株式会社、○○株式会社、・・・）、グループ（ＡＧｒ、ＢＧｒ、・・・）を対応付けて示す。
【００９０】
（２）制御部２１１
制御部２１１は、記憶部２１３から必要な制御プログラム等を読み出して実行し、携帯端末２００ａ全体を制御する。また、アプリケーションプログラムを読み出して実行する。また、制御部２１１は、無線通信部２２１、短距離無線通信部２１９、課金処理部２１７、入出力部２１５を制御する。また、制御部２１１は、記憶部２１３にアクセスして情報の読み書きを行う。
【００９１】
（３）表示部２１２
表示部２１２は、例えば、液晶表示装置である。なお、表示部２１２は、ＥＬ表示装置等であってもよい。表示部２１２により表示される画面には、プリントサービスやスキャンサービスを受ける場合に利用者によりタッチ操作される操作画像等が含まれている。操作画像の一つは、無線通信伝送アプリケーションプログラム（以下、無線通信伝送アプリ）を起動するために操作される。ここで、無線通信伝送アプリは、例えば、画像形成装置１０００から、画像データを受信して格納するためのコンピュータプログラムであり、また、写真データや文書データを画像形成装置１０００に対して送信するためのコンピュータプログラムである。また、表示部２１２により表示される画面には、携帯端末２００ａを識別する識別情報が表示される、としてもよい。
【００９２】
（４）操作入力部２１４
操作入力部２１４は、複数の操作キー及び表示部２１２の画面に重ねられたタッチパネルを有し、操作キーやタッチパネルの操作に応じた入力指示を、入出力部２１５を介して、制御部２１１に出力する。例えば、制御部２１１は、操作入力部２１４からの入力指示に応答して、画像形成装置１０００から、短距離無線通信部２１９及びアンテナ２２０を介して、画像データを受信する。
【００９３】
（５）スピーカ２１６、カメラ部２２３及び入出力部２１５
スピーカ２１６は、他の携帯端末等との通話における音声を出力する。また、記憶部２１３に記憶されている音声データを制御部２１１の制御により再生して音声を出力する。
【００９４】
カメラ部２２３は、制御部２１１の制御の元に、外部を撮影して静止画又は動画を生成する。
【００９５】
入出力部２１５は、制御部２１１と、表示部２１２、操作入力部２１４、スピーカ２１６及びカメラ部２２３との間で、データの入出力を中継する。
【００９６】
（６）課金処理部２１７
課金処理部２１７は、例えば、画像形成装置１０００から送信された、対価の請求を示す請求情報に対して、支払いを承認するか否かを判断し、その判断結果を画像形成装置１０００に対して送信させる。
【００９７】
（７）短距離無線通信部２１９、アンテナ２２０、無線通信部２２１及びアンテナ２２２
短距離無線通信部２１９は、アンテナ２２０を介して、短距離無線通信により、携帯端末２００ａが存在する無線通信エリア３０内に存在する通信端末との間で通信を行う。無線通信エリア３０内に存在し、通信相手となる通信端末は、一例として、画像形成装置１０００である。また、短距離無線通信部２１９は、携帯端末２００ａが他の無線通信エリア３０内に存在する場合には、当該他の無線通信エリア３０内に存在する通信端末との間で通信を行う。
【００９８】
無線通信部２２１は、アンテナ２２２を介して、無線基地局との間で、無線による通信を行う。無線基地局は、携帯電話網の一端に接続され、携帯電話網の他端には、他の無線基地局が接続され、他の無線基地局は、他の通信端末との間で、無線による通信を行う。この結果、無線通信部２２１は、アンテナ２２２、無線基地局、携帯電話網、他の無線基地局を介して、他の通信端末等との間で、通信を行うことができる。
【００９９】
（８）表示部２１２により表示される画面
表示部２１２により表示される画面について説明する。表示部２１２により表示される画面には、図８に示すアプリケーション起動画面ＳＣ３０、画像データ受信画面ＳＣ３２、画像データ受信終了画面ＳＣ３４がある。
【０１００】
アプリケーション起動画面ＳＣ３０は、無線通信伝送アプリケーションを起動する際の起動画面であり、スキャンサービスの開始操作を受け付けるためのボタンＢ３０を含む。
【０１０１】
画像データ受信画面ＳＣ３２は、画像形成装置１０００による画像データ送信が開始され、短距離無線通信部２１９が画像データの受信を開始した際、表示される画面であり、画像データを格納したファイルを複数送信する場合、現在、何番目のファイルの受信中かを示すポップアップ画面Ｍ３２を含む。ポップアップ画面Ｍ３２には、画像データの受信を取り消すキャンセルボタンＥ３２が含まれる。画像データ受信画面ＳＣ３２の表示は、画像データの送信がなされている間、継続する。
【０１０２】
画像データ受信終了画面ＳＣ３４は、短距離無線通信部２１９による画像データの受信が終了した際、表示される画面であり、画像データファイルの受信が終了した旨を示すポップアップ画面Ｍ３４と、画像データに名前を付けて、記憶部２１３に受け付けるための保存確認ボタンＢ３４を含む。ポップアップ画面Ｍ３４には、画像データの受信を確認するためのＯＫボタンＥ３４が含まれる。
【０１０３】
１．４  実施例１
ここでは、実施例１として、画像形成装置１０００が提供するスキャンサービスおける動作について、以下に説明する。
【０１０４】
（１）スキャンから画像データの送信完了までにおける画面遷移
スキャンから画像データの送信完了までにおける画面遷移について、説明する。
【０１０５】
画像形成装置１０００のスキャン機能が起動されると、画面構成部１４１は、図４に示すスキャン条件設定画面ＳＣ１１を生成して、表示部１１２に表示させる。スキャン条件設定画面ＳＣ１１において、出力先、ファイル形式、解像度、ページ割付、片面／両面指定が設定され、ＯＫボタンＥ１１が操作されると、矢印ＳＷ１２に示すように、スキャン条件設定画面ＳＣ１１から原稿準備画面ＳＣ１２へ画面遷移を行う
画像形成装置１０００において、原稿がセットされ、スタートボタンＥ１２が押下されると、矢印ＳＷ１３に示すように、原稿準備画面ＳＣ１２から、スキャン実行画面ＳＣ１３への画面遷移を行い、スキャン中である旨を利用者に提示する。以降、画像読取部１１６による画像スキャンが実行されている間、原稿のページが一枚読み取られる度に、枚数カウンターＢ１３の値が、１ずつインクリメントしてゆく。原稿のスキャンが完了すると、矢印ＳＷ１４に示すように、スキャン実行画面ＳＣ１３から決済画面ＳＣ１４への画面遷移を行う。決済画面ＳＣ１４には、原稿の枚数Ｂ１４１、利用人数Ｂ１４２、データサイズＢ１４３、サービス料金対価Ｂ１４４等が表示される。
【０１０６】
決済画面ＳＣ１４において決定ボタンＥ１４が操作されると、矢印ＳＷ３１に示すように、決済画面ＳＣ１４から、図８に示す画像データ送信画面ＳＣ３１への画面遷移を行う。画像データ送信画面ＳＣ３１において、ファイルが送信される旨が表示される。画像データの送信が開始されると、携帯端末２００ａ、ｂでは、図８のＳＷ３２に示すように、アプリケーション起動画面ＳＣ３０から画像データ受信画面ＳＣ３２への画面遷移を行う。
【０１０７】
画像形成装置１０００から各携帯端末に対する画像データの送信が終了すると、画像データ送信画面ＳＣ３１から、矢印ＳＷ３３に示すように、画像データ送信終了画面ＳＣ３３への画面遷移がなされる。
【０１０８】
一方、携帯端末２００ａ、ｂ側においても、画像データ受信画面ＳＣ３２から、矢印ＳＷ３４に示すように、画像データ受信終了画面ＳＣ３４への画面遷移がなされる。
【０１０９】
これにより、画像データの送受信が完了する。
【０１１０】
（２）出力先の設定における画面遷移
出力先の設定における画面遷移について、説明する。
【０１１１】
図４に示すスキャン条件設定画面ＳＣ１１において、出力先設定ボタンＢ１１１が操作されると、矢印ＳＷ２１に示すように、スキャン条件設定画面ＳＣ１１から、図５に示す出力先種別選択画面ＳＣ２１への画面遷移がなされる。
【０１１２】
出力先種別選択画面ＳＣ２１において、利用者は、チェックボックスＢ２１１、Ｂ２１２、Ｂ２１３、Ｂ２１４の全て又はいずれかをチェックする。
【０１１３】
なお、ここでは、出力先種別選択画面ＳＣ２１において、利用者は、チェックボックスＢ２１１、Ｂ２１２、Ｂ２１３、Ｂ２１４の全てチェックしたものとする。つまり、出力先種別選択画面ＳＣ２１において、利用者は、それぞれのチェックボックスにおいて、「メディアに保存する」、「スマートフォンに出力する」、「サーバに出力する」、「メールアドレス経由で出力する」という出力先種別を全て選択したものとする。
【０１１４】
全ての種別の出力先が選択されたので、画面構成部１４１は、フォルダ入力画面ＳＣ２２、携帯端末選択画面ＳＣ２３、ＵＲＬ入力画面ＳＣ２４、メールアドレス入力画面ＳＣ２５、出力先確認画面ＳＣ２６を順次形成する。
【０１１５】
始めに、出力先種別選択画面ＳＣ２１から、矢印ＳＷ２２に示すように、フォルダ入力画面ＳＣ２２への画面遷移を行う。フォルダ入力画面ＳＣ２２では、例えば、フォルダ「Ｇ：￥フォルダ１」が利用者によって選択される。
【０１１６】
フォルダ入力画面ＳＣ２２において、次ボタンＥ２２が操作されると、フォルダ入力画面ＳＣ２２から、矢印ＳＷ２３に示すように、携帯端末選択画面ＳＣ２３への画面遷移を行う。携帯端末選択画面ＳＣ２３では、利用者により、１台又は複数台の携帯端末が選択される。
【０１１７】
携帯端末選択画面ＳＣ２３において、ＯＫボタンＥ２３が操作されると、携帯端末選択画面ＳＣ２３から、矢印ＳＷ２４に示すように、図６のＵＲＬ入力画面ＳＣ２４への画面遷移を行う。ＵＲＬ入力画面ＳＣ２４では、例えば、ＵＲＬとして、「http://www.cloud1.com/user111」が入力される。
【０１１８】
ＵＲＬ入力画面ＳＣ２４において、次ボタンＥ２４が操作されると、ＵＲＬ入力画面ＳＣ２４から、矢印ＳＷ２５に示すように、メールアドレス入力画面ＳＣ２５への画面遷移を行う。メールアドレス入力画面ＳＣ２５において、例えば、メールアドレスとして、「Yamada@DD.co.jp」、「Kato@DD.co.jp」が入力される。
【０１１９】
メールアドレス入力画面ＳＣ２５において、次ボタンＥ２５がタッチされると、メールアドレス入力画面ＳＣ２５から、矢印ＳＷ２６に示すように、出力先確認画面ＳＣ２６への画面遷移を行い、出力先について確認を促す。
【０１２０】
出力先確認画面ＳＣ２６において、戻るボタンＲ２６が操作されると、出力先確認画面ＳＣ２６から、矢印ＳＷ２１に示すように、出力先種別選択画面ＳＣ２１への画面遷移を行い、出力先の種別選択から、入力をやり直す。
【０１２１】
出力先確認画面ＳＣ２６において、ＯＫボタンＥ２６が押下されると、出力先確認画面ＳＣ２６から、矢印ＳＷ１２に示すように、図４の原稿準備画面ＳＣ１２への画面遷移を行う。
【０１２２】
これにより、出力先の設定における画面遷移の説明を終了する。
【０１２３】
（３）スキャンサービスにおける動作
サービスシステム１のスキャンサービスにおける動作について、説明する。
【０１２４】
（ａ）スキャンサービスにおける全体の概要の動作
サービスシステム１のスキャンサービスにおける全体の概要の動作について、図１１に示すフローチャートを用いて、説明する。
【０１２５】
画像形成装置１０００の表示部１１２は、スキャン条件設定画面ＳＣ１１を表示し、スキャン条件の設定を利用者から受け付ける（ステップＳ１）。続いて、表示部１１２は、原稿準備画面ＳＣ１２を表示して、原稿セットを利用者に促した上、画像読取部１１６は、原稿のセットを待ち（ステップＳ２でＮｏ）、原稿がセットされれば（ステップＳ２でＹｅｓ）、原稿のスキャンを行う（ステップＳ３）。次に、課金処理部１１７は、課金処理を行う（ステップＳ４）。その後、画像形成装置１０００は、指定された出力先に画像データを出力する（ステップＳ５）。
【０１２６】
これにより、スキャンサービスを終了する。
【０１２７】
（ｂ）出力先の設定の動作
ここでは、画像データの出力先の設定の動作について、つまり、図４に示すスキャン条件設定画面において、出力先設定ボタンＢ１１１が操作された場合における動作について、図１２に示すフローチャートを用いて説明する。なお、ここで説明する動作の手順は、図１１に示すステップＳ１における手順のうちの一部分の詳細である。
【０１２８】
表示部１１２は、図５に示す出力先種別選択画面ＳＣ２１を表示し、操作入力部１１４は、出力先種別の選択を受け付ける（ステップＳ３１）。
【０１２９】
制御部１１１は、出力先種別として、リムーバルメディア１００３への記録が選択されたかどうかを判定する（ステップＳ３５）。選択されていれば（ステップＳ３５でＹｅｓ）、フォルダ入力画面ＳＣ２２を表示して、フォルダ入力画面ＳＣ２２に対する入力（ファイルパス）を確定し（ステップＳ３９）、入力されたファイルパスをコピー先とするコピー先情報１３３を記憶部１１３に生成する（ステップＳ４１）。
【０１３０】
リムーバルメディア１００３への記録が選択されていない場合には（ステップＳ３５でＮｏ）、ステップＳ３９及びＳ４１の処理は、行われない。
【０１３１】
次に、制御部１１１は、出力先種別として、携帯端末（無線通信エリア３０に存在する携帯端末２００ａ、ｂ、ｃ、ｄ）が選択されているかどうかの判定を行い（ステップＳ３６）、選択されていれば（ステップＳ３６でＹｅｓ）、携帯端末を対象とした出力先選択処理を実行する（ステップＳ４２）。このステップＳ４２の処理の詳細については、後述する。出力先種別として、携帯端末が選択されていなければ（ステップＳ３６でＮｏ）、ステップＳ４２の処理は、行われない。
【０１３２】
次に、制御部１１１は、出力先種別としてサーバが選択されたかどうかを判定する（ステップ３７）。出力先種別としてサーバが選択されている場合（ステップ３７でＹｅｓ）表示部１１２は、ＵＲＬ入力画面ＳＣ２４を表示し、操作入力部１１４は、ＵＲＬの入力を受け付ける（ステップＳ４３）。次に、制御部１１１は、入力されたＵＲＬの文字列を中身とするアップロード情報１３４を記憶部１１３に生成する（ステップＳ４５）。
【０１３３】
出力先種別としてサーバが選択されていない場合（ステップ３７でＮｏ）、ステップＳ４３、Ｓ４５の動作は行われない。
【０１３４】
次に、制御部１１１は、出力先種別として、メールアドレス経由による出力が選択されたかどうかを判定する（ステップＳ３８）。出力先種別として、メールアドレス経由による出力が選択されている場合（ステップＳ３８でＹｅｓ）、表示部１１２は、メールアドレス入力画面ＳＣ２５を表示し、操作入力部１１４は、メールアドレスの入力を受け付ける（ステップＳ４６）。制御部１１１は、入力されたメールアドレスを含むメール宛先情報１３５を記憶部１１３に生成する（ステップＳ４７）。
【０１３５】
出力先種別として、メールアドレス経由による出力が選択されていない場合（ステップＳ３８でＮｏ）、ステップＳ４６及びＳ４７の動作は行われない。
【０１３６】
以上により、画像データの出力先の設定の動作を終了する。
【０１３７】
（ｃ）携帯端末を対象とした出力先選択の動作
ここでは、携帯端末を対象とした出力先選択の動作について、図１３に示すフローチャートを用いて、説明する。なお、ここで説明する動作は、図１２のステップ４２の詳細の動作である。
【０１３８】
無線通信エリア３０に存在する携帯端末２００ａ、２００ｂ、２００ｃは、それぞれ、無線通信伝送アプリを起動させ（ステップＳ１０８ａ、Ｓ１０８ｂ、Ｓ１０８ｃ）、識別情報を表示させる（ステップＳ１０９ａ、Ｓ１０９ｂ、Ｓ１０９ｃ）。これらのうち、携帯端末２００ａ、２００ｃは、機種名、利用者名を読み出して送信する（ステップＳ１１０ａ、Ｓ１１０ｃ）。一方、携帯端末２００ｂは、ＯＳ名、機種名、利用者名を読み出して送信する（ステップＳ１１０ｂ）。
【０１３９】
一方、画像形成装置１０００では、出力先の種別として携帯端末が選択されているので、無線通信エリア３０に存在する携帯端末のサーチを開始し（ステップＳ５３）、携帯端末の検出を待つ（ステップＳ５４）。携帯端末が検出されない場合（ステップＳ５４で「無し」）、表示部１１２は、未検出である旨を表示し（ステップＳ５５）、ステップＳ５３に制御を移す。携帯端末が検出された場合（ステップＳ５４で「有り」）、携帯端末毎に機種名、ＯＳ名、利用者名を含む識別情報を生成し（ステップＳ５６）、生成された識別情報からなる携帯端末リスト１３１を生成する（ステップＳ５７）。以上の処理を経て、１以上の携帯端末を明示した携帯端末リスト１３１が生成されると、画面構成部１４１は、携帯端末リスト１３１を基に、図５に示した携帯端末選択画面ＳＣ２３を生成し、表示部１１２は、携帯端末選択画面ＳＣ２３を表示する（ステップＳ５８）。操作入力部１１４は、１又は複数の識別情報の選択入力を受け付け、選択入力の確定を受け付ける（ステップＳ５９）。
【０１４０】
制御部１１１は、選択された識別情報を選択リスト１３２として記憶部１１３に書き込み（ステップＳ６２）、携帯端末選択画面ＳＣ２３において選択された携帯端末２００ａ、ｂとのアドホックモードによる無線接続を確立する（ステップＳ６３）。
【０１４１】
無線接続の確立をした後、選択リスト１３２に含まれない識別情報により識別される携帯端末から、情報、指示等を受け取った場合（ステップＳ６４で「無し」）、受け取った情報、指示等を棄却する（ステップＳ６５）。
【０１４２】
以上により、携帯端末を対象とした出力先選択の動作についての説明を終了する。
【０１４３】
（ｄ）課金処理の動作
課金処理の動作について、図１４に示すフローチャートを用いて、説明する。なお、ここで説明する動作は、図１１のステップＳ４の詳細である。
【０１４４】
対価情報生成部１４５は、出力先として特定された携帯端末数である利用人数と、画像読取部１１６が読み取ったデータサイズとから、サービスに対する対価の額を計算する（ステップＳ６８）。
【０１４５】
制御部１１１は、課金方法として、現金による課金が指定されたか、携帯端末による決済が指定されたかを判断する（ステップＳ６９）。
【０１４６】
課金方法が携帯端末での課金である場合（ステップＳ６９で「Ｙｅｓ」）、制御部１１１は、選択リスト１３２に含まれる識別情報の数により、携帯端末が複数台であるか一台であるかを判断する（ステップＳ７１）。携帯端末が一台である場合（ステップＳ７１で「１台」）、課金要求をその一台の携帯端末に対して送信する（ステップＳ７２）。
【０１４７】
携帯端末が複数台である場合（ステップＳ７１で「複数台」）、制御部１１１は、課金を複数の携帯端末に振り分け（ステップＳ７３）、課金方法として、振り分けられ対価情報をそれぞれの携帯端末に対して送信する（ステップＳ７４、Ｓ７５）。
【０１４８】
携帯端末２００ａの課金処理部２１７は、課金要求に対して課金を承認する処理を行い、その旨を画像形成装置１０００に対して通知する（ステップＳ７６）。また、携帯端末２００ｂの課金処理部２１７も、同様にして、課金要求に対して、課金を承認する処理を行い、その旨を画像形成装置１０００に対して通知する（ステップＳ７７）。
【０１４９】
課金処理部１１７は、課金処理を行い（ステップＳ７８）、課金処理が完了したことを示す通知を携帯端末２００ａ、２００ｂに対して送信する（ステップＳ７９、Ｓ８０）。
【０１５０】
課金方法が携帯端末での課金でない場合、つまり、現金による支払いの場合（ステップＳ６９で「Ｎｏ」）、課金処理部１１７は、現金による課金処理を行う（ステップＳ７８）。以上により、課金処理の動作についての説明を終える。
【０１５１】
（ｅ）画像データの出力処理の動作
画像データの出力処理の動作について、図１５に示すフローチャートを用いて、説明する。なお、ここで説明する動作は、図１１のステップＳ５の詳細である。
【０１５２】
制御部１１１は、画像データの出力先として、サーバが選択されたかどうかを判定する（ステップＳ５１）。出力先がサーバである場合（ステップＳ５１でＹｅｓ）、送受信部１４４は、記憶部１１３に記憶されたアップロード情報１３４に基づいて、データ通信部１１８を介して、ファイル転送プロトコルを実行して、画像データを、矢印ｔｆ１に示すように、公衆ネットワーク２０００に接続されるサーバ装置２００１に転送する（ステップＳ５５）。
【０１５３】
出力先がサーバでない場合（ステップＳ５１でＮｏ）、ステップＳ５５の処理は行われない。
【０１５４】
次に、制御部１１１は、画像データの出力先として、メールアドレス経由による出力が選択されたかどうかを判定する（ステップＳ５２）。メールアドレス経由による出力が選択されている場合（ステップＳ５２でＹｅｓ）、メール通信部１４６は、記憶部１１３に記憶されたメール宛先情報１３５を宛先とした電子メールを作成して、当該電子メールに画像データ１３０を添付し、矢印ｔｆ２に示すように公衆ネットワーク２０００に接続される、電子メールの宛先となる機器２００２に、作成した電子メールを送信する（ステップＳ５６）。
【０１５５】
メールアドレス経由による出力が選択されていない場合（ステップＳ５２でＮｏ）、ステップＳ５６の処理は行われない。
【０１５６】
次に、制御部１１１は、画像データの出力先として、リムーバルメディア１００３が選択されたかどうかを判定する（ステップＳ５３）。リムーバルメディア１００３が選択されている場合（ステップＳ５３でＹｅｓ）、制御部１１１は、矢印ｔｆ３に示すように、コピー先情報１３３のファイルパスで特定されるリムーバルメディア１００３のフォルダに、画像データを書き込む（ステップＳ５７）。
【０１５７】
リムーバルメディア１００３が選択されていない場合（ステップＳ５３でＮｏ）、ステップＳ５７の処理は行われない。
【０１５８】
次に、制御部１１１は、画像データの出力先として、携帯端末が選択されたかどうかを判定する（ステップＳ５４）。携帯端末が選択されている場合（ステップＳ５４でＹｅｓ）、送受信部１４４は、短距離無線通信部１１９を介して、画像データを携帯端末２００ａ、２００ｂに送信する（ステップＳ５８）。
【０１５９】
携帯端末２００ａの制御部２１１は、画像データを受信し（ｔｆ１１）、受信した画像データを記憶部２１３に書き込む（ステップＳ６１）。携帯端末２００ｂの制御部２１１も、同様に、画像データを受信し（ｔｆ１２）、受信した画像データを記憶部２１３に書き込む（ステップＳ６２）。
【０１６０】
以上により、画像データの出力の動作の説明を終了する。
【０１６１】
（４）まとめ
以上の通り、短距離無線通信部１１９は、選択グループ４０を構成する携帯端末１００ａ、１００ｂのみに対して、読み取った画像データを送信する。この場合に、画像形成装置１０００は、選択グループ４０に含まれない携帯端末２００ｃ、ｄに対して画像データを送信することがなく、選択グループ４０を構成する複数の携帯端末の利用者により共有されるべき、画像データに関する情報が、第三者の携帯端末の利用者に知られることを可能な限り抑制することができる。また、会議や会合に参加する人員を画像形成装置の周辺にあつめ、資料となる画像データを一斉に各人が所有する携帯端末に送付することで、資料配布に代えるという使い方が可能になり、紙媒体の消費量を減らして、森林資源の保護に寄与することができる。
【０１６２】
１．５  実施例２
ここでは、実施例２として、携帯端末から電子メールのアドレスの記載されたメールアドレス帳を取得し、取得したメールアドレス帳から電子メールのアドレスを選択する場合についての動作について、図１６に示すフローチャートを用いて説明する。
【０１６３】
このメールアドレス帳の取得は、図６に示すメールアドレス入力画面ＳＣ２５において、アドレス帳を携帯端末から取得するためのアドレス帳取得ボタンＲ２５が操作された場合に、実行される。
【０１６４】
この実施例２では、出力先の１つの種別として、携帯端末２００ａ、２００ｂ、２００ｃ、２００ｄのうち、２以上のものが選択され、選択された携帯端末の識別情報が、選択リスト１３２に含まれているものとする。具体的には、携帯端末２００ａと２００ｂとが選択されているとする。
【０１６５】
アドレス帳取得ボタンＲ２５が操作されると、制御部１１１は、短距離無線通信部１１９を介して、選択リスト１３２に含まれている識別情報により示される携帯端末に対して、メールアドレス帳の送信を要求する（ステップＳ７６）。
【０１６６】
携帯端末２００ａの制御部２１１及び携帯端末２００ｂの制御部２１１は、それぞれ、メールアドレス帳の送信要求を受信すると（ステップＳ７６）、記憶部２１３からメールアドレス帳２４３を読み出し、読み出したメールアドレス帳２４３を、短距離無線通信部２１９を介して、送信する（ステップＳ７７）。
【０１６７】
制御部１１１は、携帯端末２００ａ及び携帯端末２００ｂから、それぞれ、短距離無線通信部１１９を介して、メールアドレス帳を受信する（ステップＳ７８）。
【０１６８】
画面構成部１４１は、携帯端末２００ａ及び携帯端末２００ｂから受信したメールアドレス帳を一つのメールアドレス帳に統合し、統合されたメールアドレス帳に含まれる複数のメールアドレスからなる一覧表を生成し、表示部１１２は、生成した一覧表を含むメールアドレス一覧画面を表示する。次に、何れかのメールアドレスを選択する操作を利用者から受け付け、メールアドレスの選択の確定を受け付ける（ステップＳ７９）。制御部１１１は、選択されたメールアドレスを内容とするメール宛先情報を作成する（ステップＳ８０）。
【０１６９】
メール通信部１４６は、このようにして作成されたメール宛先情報に含まれるメールアドレスを宛て先として、電子メールを生成し、生成した電子メールを送信する。この電子メールには、画像データが添付される。
【０１７０】
以上の通り、本実施例では、画像形成装置１０００の無線通信エリア３０に位置する携帯端末２００ａ、２００ｂからメールアドレス帳を取得して、かかるメールアドレス帳を基に画像データを添付した電子メールの送信を行うので、コンビニエンスストア等に設置され不特定多数の利用者による利用が予想される画像形成装置や、情報漏洩防止の観点から、送信先の登録が禁止されている画像形成装置であっても、出力先入力の煩雑さを感じさせることなく、メールアドレスで特定される宛先に、画像データを送付することができる。
【０１７１】
本実施例では、アドホックモードの無線接続により、メールアドレス帳を取得する一例について説明したが、他の通信方法によって送付先を追加してもよい。つまり、携帯端末選択画面ＳＣ２３により、携帯端末を選択して追加する際、Ｂｌｕｅｔｏｏｔｈ、ＮＦＣ、赤外線通信等を用いて、選択した携帯端末から、画像形成装置１０００に対して、選択した携帯端末に係る宛て先情報（例えば、当該携帯端末のメールアドレス、又は、当該携帯端末に記憶されているメールアドレス帳）を送付してもよい。
【０１７２】
また、携帯端末が選択された際、その携帯端末からメールアドレス帳を取得するとしたが、画像データの送付先となるサーバのＵＲＬやファイルパスを携帯端末から取得し、取得したサーバのＵＲＬに画像データを送信し、取得したファイルパスに画像データを書き込むとしてもよい。
【０１７３】
１．６  実施例３
実施例３として、利用人数や画像データのデータサイズに基づき、対価情報生成部１４５により対価を算出する動作について説明する。
【０１７４】
対価情報生成部１４５は、出力先として選択された携帯端末の台数に応じて、対価算出の根拠となる利用人数を確定する。出力先種別として携帯端末が選択された場合、選択リスト１３２に示される携帯端末の個数を利用人数とする。出力先種別として携帯端末が選択されていない場合、利用人数を「１」とする。
【０１７５】
こうして、利用人数が算出されると、対価情報生成部１４５は、画像読取部１１６の読み取りによって得られた画像データのデータサイズ（送信すべき画像データが複数存在する場合は、それら画像データのデータサイズの合計値）及び利用人数に応じて、図１７に示す料金表１６を用いて、サービスに対する対価を算出する。
【０１７６】
料金表１６によると、利用人数の限度値及びデータサイズの限度値により、料金が定められている。
【０１７７】
例えば、利用人数が１人〜５人（数値範囲ｒ１）であり、データサイズが１Ｍバイト未満（数値範囲ｒ１１）である場合、料金は、３０円である。また、利用人数が６人〜１０人（数値範囲ｒ２）であり、データサイズが１Ｍバイト未満（数値範囲ｒ１１）である場合、料金は、１５０円である。さらに、利用人数が１１人〜２０人（数値範囲ｒ３）であり、データサイズが１Ｍバイト未満（数値範囲ｒ１１）である場合、料金は、２００円である。
【０１７８】
また、例えば、利用人数が１人〜５人（数値範囲ｒ１）であり、データサイズが１Ｍバイト以上、３Ｍバイト未満（数値範囲ｒ１２）である場合、料金は、３６円である。また、利用人数が６人〜１０人（数値範囲ｒ２）であり、データサイズが１Ｍバイト以上、３Ｍバイト未満（数値範囲ｒ１２）である場合、料金は、１８０円である。さらに、利用人数が１１人〜２０人（数値範囲ｒ３）であり、データサイズが１Ｍバイト以上、３Ｍバイト未満（数値範囲ｒ１２）である場合、料金は、２４０円である。
【０１７９】
このように、料金表１６では、利用人数の数値範囲ｒ１、ｒ２、・・・、ｒ７、及び、データサイズの数値範囲ｒ１１、ｒ１２、・・・、ｒ１６に応じて、料金が規定されている。
【０１８０】
従って、対価情報生成部１４５は、料金表１６において、利用人数及びデータサイズが、どの利用人数の数値範囲及びデータサイズの数値範囲に含まれるかを判断し、利用人数の数値範囲及びデータサイズの数値範囲を特定し、特定した数値範囲に応じた料金を、サービスの対価として定める。
【０１８１】
つまり、対価情報生成部１４５は、料金表１３６において、利用人数、データサイズが利用人数の数値範囲ｒ１、ｒ２、ｒ３、ｒ４、ｒ５・・・・、データサイズの数値範囲ｒ１１、ｒ１２、ｒ１３、ｒ１４・・・・・の何れかに属するかで、対価情報生成部１４５は、対価となるサービス料金を算出する。例えば、５人までの利用人数で、５Ｍバイトまでのデータサイズであれば、送付する画像データや利用人数を増やしても、サービス料金は同額になるという、新規な料金体系により、スキャンサービスを導入して、割安感、お得感を利用者にアピールすることができる。
【０１８２】
１．７  実施例４
本実施例は、送受信部１４４が、画像読取部１１６のスキャンにより画像データが得られた際、この画像データと共に他の画像データを送信する動作例である。
【０１８３】
具体的には、画像読取部１１６のスキャンにより画像データが得られ、尚且つ、スロット１００２にリムーバルメディア１００３が装着された場合、リムーバルメディア１００３の各フォルダに記録されたデータを示す複数のデータ表示欄を表示し、上記画像データと共に、併せて送信したいデータが存在するかどうかの提示を行う。画像データと共に、併せて送信したいデータは、画像データに限らず、文書データ、画像データ、表計算データなど、様々な種別のデータを含む。リムーバルメディア１００３にそのようなデータが存在する場合、当該データを、画像読取部１１６によるスキャンにより得られた画像データに組み合わせる。
【０１８４】
そして、出力先の種別として携帯端末が選択され、選択リスト１３２が作成された際、画像読取部１１６のスキャンにより得られた画像データと、スロット１００２に装着されたリムーバルメディア１００３に記録されているデータとの組み合わせを、選択リスト１３２に識別情報が示された携帯端末２００ａ、２００ｂに向けて送信する。
【０１８５】
例えば、上記一定関係を有する利用者が何れも出張等で職場から外出していて、外出先で利用できる機器が、ＵＳＢメモリ（リムーバルメディアの１つ）、及び、携帯端末に限られている場合であっても、一の利用者のＵＳＢメモリに格納されたデータを、他の利用者の携帯端末に送信することができる。ＵＳＢメモリ内のデータの引き渡しのためのハブ機能を画像形成装置１０００に持たせることができるので、画像形成装置の価値を更に高めることができる。
【０１８６】
２  その他の変形例
本発明は、上記の実施形態に限定されない。以下に示すようにしてもよい。
【０１８７】
（変形例１）
上記実施例では、携帯端末からのメールアドレス帳を、短距離無線通信を用いて送信する。これに対して変形例１では、二次元バーコードを介して、携帯端末からのメールアドレスの取得を実行する。具体的にいうと、本変形例では、自身のメールアドレス帳に記載されたメールアドレスを二次元バーコードに変換する機能を、携帯端末２００ａ、ｂ、ｃ、ｄの制御部２１１に設け、二次元バーコードの読み取りを行う光学読取部を画像形成装置に設ける。そして、本変形例にかかる画像形成装置は、出力先の種別として、メールアドレス経由が指定された際、光学読取部を経由でメールアドレスを入力するかどうかの提示を利用者に対して行う。
【０１８８】
一方、本変形例にかかる携帯端末は、メールアドレス帳に記載された１のメールアドレスを二次元バーコードに変換する機能を実行する。かかる変換により得られた二次元バーコードを表示した状態で、携帯端末の表示部２１２を画像形成装置の光学読取部にかざすと、光学読取部は、二次元バーコードを読み取って、この二次元バーコードに対応するメールアドレスを出力する。二次元バーコードに対応するメールアドレスが、光学読取部によって出力されれば、画像形成装置１０００の制御部１１１は、当該メールアドレスを画像データの出力先として受け付け、図３（ｅ）に示したような、そのメールアドレスを宛先とするメール宛先情報を生成する。
【０１８９】
尚、メールアドレスから二次元バーコードへの変換を行い、表示する機器は、携帯端末２００ａ、２００ｂ、２００ｃ、２００ｄとは別の機器であってもよい。例えば、スマートフォンタイプの携帯端末２００ａ、２００ｂ、２００ｃ、２００ｄとは、違って、アプリケーションプログラムの実行機能を有さない通常の携帯電話機に、メールアドレスから二次元バーコードへの変換や、表示を行わせてもよい。
【０１９０】
（変形例２）
上記実施形態における画像形成装置は、コンビニエンスストア等、公共の場所に設置され、不特定の利用者が利用可能な機器としたが、変形例２における画像形成装置は、利用制限が設けられた機器であり、認証サーバが利用者の正当性の確認を行い、利用者の正当性が確認されて初めて、スキャンサービスを利用者に提供してもよい。具体的にいうと、変形例２における画像形成装置は、利用者が画像形成装置の利用を希望した際、パスワード情報や生体情報を利用者から取得して、認証サーバに送信する。
【０１９１】
認証サーバは、個人情報格納用データサーバと同じ構内ネットワークに設けられている。この個人情報格納用データサーバは、画像形成装置の利用が予定されている複数の利用者のパスワードや生体情報、個人用のメールアドレス帳を含む。認証サーバは、かかる個人情報格納用データサーバから利用者のパスワードや生体情報を取得して、画像形成装置から送信されたパスワード情報に基づくパスワード認証や生体情報に基づく生体認証を実行する。これら、パスワード認証、生体認証により、画像形成装置を利用しようとする利用者が特定され、その正当性が認証されれば、上記実施形態に示したようなスキャンサービスの提供を開始する。
【０１９２】
上記の利用者認証の過程で、利用者個人が特定されているので、認証サーバは、その利用者個人の情報として、個人情報格納用データサーバに予め保存されているメールアドレス帳を、画像形成装置に送信する。画像形成装置は、出力先の種別として、メールアドレス経由による画像データの送信が指定されている場合、認証サーバから送信されたメールアドレス帳を、メールアドレス一覧表示画面により一覧表示に供する。
【０１９３】
（変形例３）
メールアドレス入力画面ＳＣ２５の表示時において、ソフトキーボードを表示し、メールアドレスを表す英数字文字列の入力を受け付けてもよい。この際、英数字の先頭文字から、予想される氏名の候補やドメイン名の候補を提示するなど、入力支援を実現してもよい。またメールアドレス帳画面ＳＣ４１の表示時において、ソフトキーボードを表示して、ローマ字入力、ひらがな入力を受け付け、かかる文字列に基づき、メールアドレス帳の検索を実現してよい。
【０１９４】
（変形例４）
携帯端末リストに表示される携帯端末毎に、一意な整理番号を発行してもよい。画像形成装置に表示される携帯端末リストには、識別情報とともに、整理番号が表示される。表示される整理番号により、利用者は、自身の携帯端末を識別することができる。また、携帯端末のそれぞれに対し、整理番号を送信し、各携帯端末は、整理番号を受信し、受信した整理番号を表示する。
【０１９５】
携帯端末選択画面における携帯端末の表示を、任意に変更してもよい。ここで、利用者自身のプロフィール情報をあらかじめ、携帯端末２００ａ、２００ｂ、２００ｃ、２００ｄの記憶部２１３に記憶させておく。プロフィール情報とは、利用者についての二次的な情報であって、利用者が任意に設定できるものをいう。例えば、年齢や性別、趣味、住所やその一部が、プロフィール情報に該当する。そして携帯端末２００ａ、２００ｂがスキャンサービスの提供を受ける際、プロフィール情報を画像形成装置１０００に送信する。画像形成装置１０００は、こうして送信されたプロフィール情報を受信し、基本情報と共に表示させてもよい。
【０１９６】
また、無線通信伝送アプリケーションを起動させていない携帯端末については、基本情報、プロフィール情報に代えて、デフォルト値を用いて、携帯端末の存在を表現してもよい。ここでデフォルト値とは、ステップＳ５３における携帯端末のサーチ時に、携帯端末から取得し得る何等かの情報であり、携帯端末の機種を示す機種情報がデフォルト値として、画像形成装置１０００に取得されることがある。ステップＳ５３における携帯端末のサーチ時に、無線通信伝送アプリを起動していない携帯端末が発見された場合、携帯端末選択画面において、デフォルト値として用いて、かかる携帯端末の存在を表現してもよい。また、デフォルト値の携帯端末については、無線通信伝送アプリケーションの起動を促すか、また、無線通信伝送アプリケーションのダウンロードサイトを提示して、無線通信伝送アプリケーションのダウンロード及び起動を促してもよい。
【０１９７】
（変形例５）
スキャンサービスが開始されてから、携帯端末２００ａ、２００ｂの選択が確定（ステップＳ５９）するまでの期間を、識別情報を選択することができる有効期間として管理してもよい。選択リスト１３２に複数の識別情報が記録され、選択リスト１３２に含まれる識別情報により示される各携帯端末と、画像形成装置１０００との間の通信が確立した後において、選択グループの有効期間は、次のようにして決定してもよい。
【０１９８】
選択リスト１３２に含まれる識別情報により示される全ての携帯端末からのスキャンサービスが完了した後、つまり、スキャンにより生成された多階調の画像データの送信が完了した時に、選択グループの有効期間は、終了する。この場合には、スキャンサービスが完了した後、直ちに、次のスキャンサービスの提供を開始することができる。
【０１９９】
また、スキャンサービスが完了した後も、選択グループ４０の有効期間に、一定の猶予期間を与えてもよい。画像形成装置１０００の操作入力部１１４に対して、利用者が有効期間を終了させる操作を行った場合に、選択グループの有効期間を終了させてもよい。この場合には、利用者は、利用者による選択グループの有効期間が経過したとしても、終了させる操作がされるまでの間、スキャンサービスの提供が可能になる。
【０２００】
（変形例６）
上記実施形態において、携帯端末はスマートフォンであるとしたがこれに限らない。上記近距離通信機能を有するものであれば他のものでもよい。例えば、タブレット機器やウェラブル端末、携帯電話機であってもよい。
【０２０１】
（変形例７）
送付先種別の選択画面において、ＦＡＸ送信の表示を行い、ＦＡＸ送信先の選択を利用者から受け付けてもよい。スキャンにより得られた画像データは、ファクシミリにより、利用者から受け付けたＦＡＸ送信先に送信してもよい。出力先種別選択画面ＳＣ２１において、出力先種別の１つとしてＦＡＸ送信先の選択を受け付け、携帯端末２００ａ、ｂやサーバ装置２００１への出力に合わせて、ＦＡＸ番号の入力を受け付けてもよい。
【０２０２】
（変形例８）
実施例２では、メールアドレス帳を携帯端末から取得するにあたって、選択リストに含まれている携帯端末からメールアドレス帳を取得するとしたが、出力先種別として、携帯端末が選択されておらず、選択リストが未生成である場合、メールアドレス入力画面ＳＣ２５の表示時において、携帯端末からのメールアドレス帳のアドレス帳取得ボタンＲ２５が操作された段階で、携帯端末２００ａ、ｂ、ｃ、ｄのサーチを開始してもよい。
【０２０３】
（変形例９）
図５に示した出力先種別選択画面は、いわゆるチェックボックスタタイプのＧＵＩ部品としたがこれに限らない。ボタンタイプのＧＵＩ部品によりユーザによる選択を受け付けてもよい。また、プログラミング言語においてライブラリィとして供給されるグラフィクスデータであり、ＧＵＩ部品、ウィジェットと呼ばれるものであれば、どのようなものを用いてもよい。更に、マークアップ言語の文法により記述が可能となる選択肢を用いて、図４から図８に示した各種画面を構成してもよい。
【０２０４】
（変形例１０）
スキャン条件設定画面ＳＣ１１が受け付け可能な設定項目は、一例に過ぎない。他の設定項目を追加してもよいし、一部の設定項目を削除してもよい。追加が可能な設定項目としては、カラー画質で読み取るか、モノクロ画質で読み取るか、グレースケール画質で読み取るかの指示を受け付ける原稿画質、原稿読み取り時の濃度等がある。
【０２０５】
（変形例１１）
サーバ装置２００１は、ＵＲＬの直接入力によりデータ保存が可能なサーバ装置としたが、これに限らない。ソーシャルネットワークサービスのサーバ装置、画像共有サービスのサーバ装置であり、ユーザ認証を必要とするものでもよい。
【０２０６】
（変形例１２）
画像形成装置１０００及び各携帯端末は、それぞれマイクロプロセッサとメモリとを備えたコンピュータシステムであり、マイクロプロセッサは、メモリに記憶したコンピュータプログラムを構成する命令コードを取り出して解読し実行する。制御用のコンピュータプログラムは、コンピュータ読取可能な記録媒体、例えば、フレキシブルディスク、ハードディスク、光ディスク、メモリカード等に記録して供給してもよい。また、制御用コンピュータプログラムを、電気通信回線、インターネットを代表とするネットワーク等を経由して伝送してもよい。
【０２０７】
（変形例１３）
上記実施形態、各実施例及び上記変形例をそれぞれ組み合わせるとしてもよい。
【０２０８】
本発明は、その精神または主要な特徴から逸脱することなく、他のいろいろな形で実施することができる。そのため、上述の実施形態はあらゆる点で単なる例示にすぎず、限定的に解釈してはならない。本発明の範囲は請求の範囲に示すものであって、明細書本文には、なんら拘束されない。さらに、請求の範囲の均等範囲に属する変形や変更は、全て本発明の範囲内のものである。
【産業上の利用可能性】
【０２０９】
本発明にかかる画像形成装置は、短距離無線を用いて、選択を受け付けた識別情報により示される複数の携帯端末との間のみで、無線通信の確立を行うことができ、画像形成装置と複数台の携帯端末との間で、短距離無線により、通信を確立する技術として有用である。
【符号の説明】
【０２１０】
１    サービスシステム
１１１    制御部
１１２    表示部
１１３    記憶部
１１４    操作入力部
１１５    印刷部
１１６    画像読取部
１１７    課金処理部
１１８    データ通信部
１１９    短距離無線通信部
１２０    アンテナ
１２１    ファクシミリ通信部
１２２    ファイル記録部
１４１    画面構成部
１４３    取得部
１４４    送受信部
１４５    対価情報生成部
１４６    メール通信部
２００ａ〜２００ｅ  携帯端末
２１１    制御部
２１２    表示部
２１３    記憶部
２１４    操作入力部
２１５    入出力部
２１６    スピーカ
２１７    課金処理部
２１９    短距離無線通信部
２２０    アンテナ
２２１    無線通信部
２２２    アンテナ
２２３    カメラ部
１０００    画像形成装置
１００２    スロット
１００３    リムーバルメディア
２０００    公衆ネットワーク
２００１    サーバ装置
２００２    機器
【図１】
2019202440.tif 000003
【図２】
2019202440.tif 000004
【図３】
2019202440.tif 000005
【図４】
2019202440.tif 000006
【図５】
2019202440.tif 000007
【図６】
2019202440.tif 000008
【図７】
2019202440.tif 000009
【図８】
2019202440.tif 000010
【図９】
2019202440.tif 000011
【図１０】
2019202440.tif 000012
【図１１】
2019202440.tif 000013
【図１２】
2019202440.tif 000014
【図１３】
2019202440.tif 000015
【図１４】
2019202440.tif 000016
【図１５】
2019202440.tif 000017
【図１６】
2019202440.tif 000018
【図１７】
2019202440.tif 000019